(57)【要約】【課題】拡散板に加わるメカ的ストレスを緩和して拡散板の損傷を防止して、液晶表示装置の表示品質の劣化を防止し得る拡散板保持用スペーサーピンおよび、該スペーサーピンを有する液晶装置用の直下型バックライトユニットを提供することを目的とする。【解決手段】液晶表示装置の直下型バックライトユニットにおいて、拡散板を支持するために用いられる樹脂製のスペーサーピンの形状を変形し易いものとし、拡散板とスペーサーピンとの間に力が加わった場合にスペーサーピンの形状が弾力的に変形して、拡散板の損傷を防止または軽減し得るように構成する。【選択図】図１
2009272199.tif 000002
【特許請求の範囲】
【請求項１】
液晶表示装置の直下型バックライトユニットにおいて、拡散板を支持するために用いられるスペーサーピンであって、
前記スペーサーピンは合成樹脂からなり、
前記拡散板と前記スペーサーピンとの間に力が加わると前記スペーサーピンの形状が弾力的に変形して、前記スペーサーピンに加わるストレスを軽減し得ることを特徴とする液晶表示装置の直下型バックライトユニットの拡散板支持用衝撃吸収型スペーサーピン。
【請求項２】
液晶表示装置の直下型バックライトユニットにおいて、拡散板を支持するために用いられるスペーサーピンであって、
前記スペーサーピンは、前記スペーサーピンに加わる力を緩和させるための衝撃緩和部を有することを特徴とする液晶表示装置の直下型バックライトユニットの拡散板支持用衝撃吸収型スペーサーピン。
【請求項３】
請求項１に記載の直下型バックライトユニットの拡散板支持用衝撃吸収型スペーサーピンにおいて、前記スペーサーピンの形状はＳ字型形状であることを特徴とする液晶表示装置の直下型バックライトユニットの拡散板支持用衝撃吸収型スペーサーピン。
【請求項４】
請求項２に記載の直下型バックライトユニットの拡散板支持用衝撃吸収型スペーサーピンにおいて、
前記スペーサーピンは合成樹脂からなり、
前記衝撃緩和部は前記スペーサーピンの材料である合成樹脂を板状に成型してジャバラ状のバネを構成するように折り曲げたものであることを特徴とする液晶表示装置の直下型バックライトユニットの拡散板支持用衝撃吸収型スペーサーピン。
【請求項５】
請求項１乃至４のいずれかに記載の液晶表示装置の直下型バックライトユニットの拡散板支持用衝撃吸収型スペーサーピンを有することを特徴とする液晶表示装置の直下型バックライトユニット。
【発明の詳細な説明】
【技術分野】
【０００１】
本発明は、液晶パネル用バックライトの拡散板を支持する衝撃吸収型スペーサピンに関する。
【背景技術】
【０００２】
現在、液晶テレビなどの高輝度を求められる液晶ディスプレイによく使用されている直下型バックライトは、液晶パネルの表示面の真下にＣＣＦＬ等の線光源やＬＥＤ等の点光源を配置し、各種の光学部材を使用して、液晶ディスプレイに適した面光源を実現している。この光学部材として、厚みの薄いシート状の光学フィルム類と、フィルム状のシートの保持と、光源からの光線を拡散させるために、ＰＣ（ポリカーボネート）、ＰＳポリスチレン）、ＭＳ（メチルメタクリレート・スチレンモノマー共重合体）等の樹脂製の約１．５ｍｍ厚の板状の拡散板が用いられている。また、該拡散板の周囲部は樹脂製のサイドフレームや、板金により支持され、拡散板の中央部分をＰＣ（ポリカーボネート）等の樹脂製のスペーサーピンで支持して、光源と拡散板との間の距離を一定に保っているという構造が、一般的な直下型バックライトの構造である。
【０００３】
従来のスペーサーピンの形状は、円錐形状が一般的で、拡散板と接触する先端部は、摩擦により、拡散板を損傷することを防止するためにＲ形状をしているものが多い。
【０００４】
しかしながら、接触部位への、強い振動や圧力等のメカ的ストレスによりスペーサーピンが拡散板を損傷させることがある。その結果、損傷部位は、液晶パネルの表示面において、表示ムラとなり、液晶表示装置の表示品質を低下させる。
【０００５】
【特許文献１】特開２００６−１４６１２６
【発明の開示】
【発明が解決しようとする課題】
【０００６】
そこで、本発明は、スペーサーピン自体が衝撃を吸収し得る機構を有するものとし、メカ的ストレスを緩和して拡散板の損傷を防止して、液晶表示装置の表示品質の劣化を防止し得る拡散板保持用スペーサーピンおよび、該スペーサーピンを有する液晶装置用の直下型バックライトユニットを提供することを目的とする。
【課題を解決するための手段】
【０００７】
請求項１に記載の発明は、液晶表示装置の直下型バックライトユニットにおいて、拡散板を支持するために用いられるスペーサーピンであって、
前記スペーサーピンは合成樹脂からなり、
前記拡散板と前記スペーサーピンとの間に力が加わると前記スペーサーピンの形状が弾力的に変形して、前記スペーサーピンに加わるストレスを軽減し得ることを特徴とする。
【０００８】
請求項２に記載の発明は、液晶表示装置の直下型バックライトユニットにおいて、拡散板を支持するために用いられるスペーサーピンであって、
前記スペーサーピンは、前記スペーサーピンに加わる力を緩和させるための衝撃緩和部を有することを特徴とする。
【０００９】
請求項３に記載の発明は、請求項１に記載の直下型バックライトユニットの拡散板支持用衝撃吸収型スペーサーピンに係り、
前記スペーサーピンの形状はＳ字型形状であることを特徴とする。
【００１０】
請求項４に記載の発明は、請求項２に記載の直下型バックライトユニットの拡散板支持用衝撃吸収型スペーサーピンに係り、
前記スペーサーピンは合成樹脂からなり、
前記衝撃緩和部は前記スペーサーピンの材料である合成樹脂を板状に成型してジャバラ状のバネを構成するように折り曲げたものであることを特徴とする。
【００１１】
請求項５に記載の発明は、液晶表示装置の直下型バックライトユニットであって、
請求項１乃至４のいずれかに記載の液晶表示装置の直下型バックライトユニットの拡散板支持用衝撃吸収型スペーサーピンを有することを特徴とする。
【発明の効果】
【００１２】
本発明に係る発明によれば、液晶表示装置に多少のメカ的ストレスが加わっても、拡散板保持用スペーサーピン自体がストレスを吸収して、拡散板が損傷することを防止でき、表示品質を向上させることができる。特に、近時の液晶ディスプレイの大型化に伴い、拡散板のサイズの大型化が進んでおり、拡散板へのメカ的ストレスも大きくなるので、大画面の液晶表示装置の表示品質の向上に大きく寄与できる。
【発明を実施するための最良の形態】
【００１３】
以下、図を参照しつつ、発明を実施するための最良の形態につき説明する。
（実施の形態１）
図１は本発明の実施の形態１に係る直下型バックライトユニットの拡散板支持用衝撃吸収型スペーサーピンを有する液晶表示装置の直下型バックライトの概略を説明するための概略展開図である。
【００１４】
図２は従来の直下型バックライトユニットの拡散板支持用スペーサーピンを有する液晶表示装置の直下型バックライトの概略を説明するための概略展開図である。
図２において、２０５は従来の直下型バックライトユニットの拡散板支持用スペーサーピンである。
【００１５】
図１において、１０１はバックライトフレームであり、１０６は光学シートであり、１０２は拡散板であり、１０３はサイドフレームであり、１１４はバックライトの背面板金と背面板金の上に載せられた反射シートであり、１０４はＣＣＦＬ（Ｃｏｌｄ
Ｃａｔｈｏｄｅ Ｆｌｕｏｒｅｓｃｅｎｔ
Ｌａｍｐ）であり、１０５は本発明の実施の形態１に係る直下型バックライトユニットの拡散板支持用衝撃吸収型スペーサーピンである。本発明の実施の形態１に係る直下型バックライトユニットの拡散板支持用衝撃吸収型スペーサーピンは、例えばＰＣ（ポリカーボネート）のような合成樹脂製である。
【００１６】
本発明の実施の形態１に係る直下型バックライトユニットの拡散板支持用衝撃吸収型スペーサーピン１０５は合成樹脂からなり、撓み易いS字形状を有する。その結果、該スペーサーピンが支えている拡散板から力を受けた場合、該スペーサーピンの形状が変形して、該スペーサーピンと拡散板とが押し合う力が緩和され、拡散板の損傷防止に役に立つ。
なお、スペーサーピン１０５は背面板金１１４とその上に載せられた反射シートを挟むように固定されている。ただし、本発明は、スペーサーピン１０５の形状に特徴があり、固定方法は、他の方法であってもよい。
【００１７】
図３は従来のスペーサーピンにより拡散板が支持されている様子を示す概略側面図である。
【００１８】
図３において、２０５は、従来のスペーサーピンであり、１１４はバックライトの背面板金と背面板金の上に載せられた反射シートでであり、１０４はＣＣＦＬである。
【００１９】
図４は従来のスペーサーピンによって、拡散板が支持されている場合に、拡散板の自重や振動等により、拡散板に力が加わると、拡散板が従来のスペーサーピンによって損傷を受けやすいことを示す概略側面図である。
図４において、４０１は拡散板に加わる力を示す矢印であり、１１４はバックライトの背面板金と背面板金の上に載せられた反射シートでであり、４０３は従来のスペーサーピン２０５と拡散板１０２との接触部位である。
【００２０】
従来のスペーサーピンの場合、拡散板の自重や振動等により、矢印４０１の方向に力が加わると、図４に図示されているように、拡散板１０２が撓み、接触部位４０３が損傷する。
【００２１】
この点、本発明の実施の形態１に係る直下型バックライトユニットの拡散板支持用衝撃吸収型スペーサーピンを使用すれば、拡散板の損傷を防止または軽減することができる。
【００２２】
図５は本発明の実施の形態１に係る直下型バックライトユニットの拡散板支持用衝撃吸収型スペーサーピンにより拡散板が支持されている様子を示す概略側面図である。
【００２３】
図６は本発明の実施の形態１に係る直下型バックライトユニットの拡散板支持用衝撃吸収型スペーサーピンによって、拡散板が支持されている場合に、拡散板の自重や振動等により、拡散板に力が加わったときに、拡散板が本発明の実施の形態１に係る直下型バックライトユニットの拡散板支持用衝撃吸収型スペーサーピン１０５が拡散板に加わる力を吸収し、拡散板の損傷が防止または軽減される様子を示す概略側面図である。
【００２４】
図６において、４０１は、拡散板に加わる力を示す矢印であり、６０２は拡散板に矢印４０１の方向の力が加わったときに、本発明の実施の形態１に係る直下型バックライトユニットの拡散板支持用衝撃吸収型スペーサーピンが変形する方向を示す矢印である。また、６０３は本発明の実施の形態１に係る直下型バックライトユニットの拡散板支持用衝撃吸収型スペーサーピン１０５と拡散板１０２との接触部位である。
【００２５】
発明の実施の形態１に係る直下型バックライトユニットの拡散板支持用衝撃吸収型スペーサーピンの材料は合成樹脂であり、形状がＳ字型をしているために、Ｓ字形状の頭の部分に下向きに力が加わると矢印６０２の方向に変形する。その結果、本発明の実施の形態１に係る直下型バックライトユニットの拡散板支持用衝撃吸収型スペーサーピン１０５と拡散板１０２との接触部位６０３において、拡散板と本発明の実施の形態１に係る直下型バックライトユニットの拡散板支持用衝撃吸収型スペーサーピン１０５との間に加わる力が緩和されて、拡散板の接触部位６０３における損傷が防止または緩和される。
（実施の形態２）
図７は本発明の実施の形態２に係る直下型バックライトユニットの拡散板支持用衝撃吸収型スペーサーピンの概略を示す斜視図である。
【００２６】
図７において、７０５は本発明の実施の形態２に係る直下型バックライトユニットの拡散板支持用衝撃吸収型スペーサーピンであり、７０２は本発明の実施の形態２に係る直下型バックライトユニットの拡散板支持用衝撃吸収型スペーサーピン７０５の衝撃緩和部であり、７０１は拡散板に接触する部分であり、従来のスペーサーピンと同様の形状である。７１５は拡散板から加わる力の方向を示す矢印であり、
７１６は拡散板から矢印７１５の力が本発明の実施の形態２に係る直下型バックライトユニットの拡散板支持用衝撃吸収型スペーサーピン７０５に加わった場合に、スペーサーピン７０５の衝撃緩和部７０２が変形する方向を示す矢印である。
【００２７】
衝撃緩和部７０２は該スペーサーピンを、成型する際に、同じ材料である合成樹脂の下部を板状にして、折り返した形状（例えばジャバラ状）にして、矢印７１６の方向の力が加わったときに、変形しやすくしたものである。その結果、拡散板と本発明の実施の形態２に係る直下型バックライトユニットの拡散板支持用衝撃吸収型スペーサーピン７０５との間に矢印７１５の方向の力が加わったときは、衝撃緩和部７０２は矢印７１６の方向に変形し、拡散板と本発明の実施の形態２に係る直下型バックライトユニットの拡散板支持用衝撃吸収型スペーサーピン７０５との間に加わる力が緩和されて、拡散板の損傷が防止または緩和される。
【図面の簡単な説明】
【００２８】
【図１】本発明の実施の形態１に係る直下型バックライトユニットの拡散板支持用衝撃吸収型スペーサーピンを有する液晶表示装置の直下型バックライトの概略を説明するための概略展開図である。
【図２】従来の直下型バックライトユニットの拡散板支持用スペーサーピンを有する液晶表示装置の直下型バックライトの概略を説明するための概略展開図である。
【図３】従来のスペーサーピンにより拡散板が支持されている様子を示す概略側面図である。
【図４】従来のスペーサーピンによって、拡散板が支持されている場合に、拡散板の自重や振動等により、拡散板に力が加わると、拡散板が従来のスペーサーピンによって損傷を受けやすいことを示す概略側面図である。
【図５】本発明の実施の形態１に係る直下型バックライトユニットの拡散板支持用衝撃吸収型スペーサーピンにより拡散板が支持されている様子を示す概略側面図である。
【図６】発明の実施の形態１に係る直下型バックライトユニットの拡散板支持用衝撃吸収型スペーサーピンによって、拡散板が支持されている場合に、拡散板の自重や振動等により、拡散板に力が加わったときに拡散板が本発明の実施の形態１に係る直下型バックライトユニットの拡散板支持用衝撃吸収型スペーサーピン１０５が拡散板に加わる力を吸収し、拡散板の損傷が防止または軽減される様子を示す概略側面図である。
【図７】本発明の実施の形態２に係る直下型バックライトユニットの拡散板支持用衝撃吸収型スペーサーピンの概略を示す斜視図である。
【符号の説明】
【００２９】
１０１      バックライトフレーム
１０２      拡散板
１０３      サイドフレーム
１０４      ＣＣＦＬ
１０５      拡散板支持用衝撃吸収型スペーサーピン
１０６      光学シート
１１４      バックライトの背面板金と背面板金の上に載せられた反射シート
【図１】
2009272199.tif 000003
【図２】
2009272199.tif 000004
【図３】
2009272199.tif 000005
【図４】
2009272199.tif 000006
【図５】
2009272199.tif 000007
【図６】
2009272199.tif 000008
【図７】
2009272199.tif 000009